(57)【要約】【課題】無駄な電力消費を避け、且つ煩雑な機能設定操作を極力省略化しながら、必要によりBluetoothなど近距離の無線ＬＡＮ機能による接続状態を確立する。【解決手段】Bluetooth用アンテナ17を接続したBluetoothモジュール18と、装置内に装着され動作電源を供給する充電池１と、充電機器接続コネクタ３を介して充電池１に充電を行なう充電器との接続を検出する電源回路２と、充電器との接続を検出した時点でBluetoothモジュール18を起動させ、他のBluetooth機器との接続状態にあるか否かを判断し、充電器との接続の終了を検出した際に、他のBluetooth機器との接続状態にあると判断した場合はその接続状態が終了するまでBluetoothモジュール18による動作を維持するマイクロプロセッサ４とを備える。【選択図】      図１
2005236506.tif 000002
【特許請求の範囲】
【請求項１】
無線ＬＡＮ機能を搭載した移動通信端末装置において、
装置に格納され、動作電源を供給する充電池と、
この充電池に充電を行なう充電器との接続を検出する検出手段と、
この検出手段により上記充電器との接続を検出した時点で上記無線ＬＡＮ機能を起動させる第１の無線ＬＡＮ制御手段と、
上記無線ＬＡＮ機能による他の無線ＬＡＮ機器との接続状態にあるか否かを判断する判断手段と、
上記検出手段により上記充電器との接続の終了を検出した際、上記判断手段により他の無線ＬＡＮ機器との接続状態にあると判断された場合はその接続状態が終了するまで無線ＬＡＮ機能を維持する第２の無線ＬＡＮ制御手段と
を具備したことを特徴とする移動通信端末装置。
【請求項２】
無線ＬＡＮ機能を搭載した移動通信端末の動作制御方法であって、
充電池に充電を行なう充電器との接続を検出する検出工程と、
この検出工程で上記充電器との接続を検出した時点で上記無線ＬＡＮ機能を起動させる第１の無線ＬＡＮ制御工程と、
上記無線ＬＡＮ機能による他の無線ＬＡＮ機器との接続状態にあるか否かを判断する判断工程と、
上記検出工程で上記充電器との接続の終了を検出した際、上記判断工程で他の無線ＬＡＮ機器との接続状態にあると判断した場合はその接続状態が終了するまで無線ＬＡＮ機能を維持する第２の無線ＬＡＮ制御工程と
を有したことを特徴とする移動通信端末の動作制御方法。
【請求項３】
無線ＬＡＮ機能を搭載した移動通信端末が内蔵するコンピュータが実行するプログラムであって、
充電池に充電を行なう充電器との接続を検出する検出ステップと、
この検出ステップで上記充電器との接続を検出した時点で上記無線ＬＡＮ機能を起動させる第１の無線ＬＡＮ制御ステップと、
上記無線ＬＡＮ機能による他の無線ＬＡＮ機器との接続状態にあるか否かを判断する判断ステップと、
上記検出ステップで上記充電器との接続の終了を検出した際、上記判断ステップで他の無線ＬＡＮ機器との接続状態にあると判断した場合はその接続状態が終了するまで無線ＬＡＮ機能を維持する第２の無線ＬＡＮ制御ステップと
をコンピュータに実行させることを特徴とするプログラム。
【発明の詳細な説明】
【技術分野】
【０００１】
本発明は、例えばＢｌｕｅｔｏｏｔｈ（Ｒ）などの無線ＬＡＮ機能を搭載した携帯電話機等に好適な移動通信端末装置、移動通信端末の動作制御方法及びプログラムに関する。
【背景技術】
【０００２】
従来より、予め機器を登録しておくことで近距離内にある機器間での無線ＬＡＮ環境を自動的に構築可能なＢｌｕｅｔｏｏｔｈ（Ｒ）（以下文中では「ブルートゥース」と称する）機能を搭載した携帯電話機が一部で規格、商品化されていた。
【０００３】
また、ブルートゥース機能を搭載した携帯電話機を車両内に設置した充電台を兼ねた載置台に載置すると、車両内のナビゲーション装置が自動的に上記ブルートゥース機能を起動して近距離通信による接続を確立し、該携帯電話機との接続のみを維持するように送信電力と受信感度の調整を行なうようにした技術が考えられている。（例えば、特許文献１）
【特許文献１】特開２００２−２８０９５０号公報
【発明の開示】
【発明が解決しようとする課題】
【０００４】
上記特許文献１に記載された技術では、携帯電話機を携行する上記車両の乗員が、該車両に存在しないことを検出した時点、具体的には例えば該載置台から携帯電話機を取外した時点や、車両のイグニッションキースイッチがオフされた時点等でブルートゥース機能による通信状態を自動的に遮断するものとしていた。
【０００５】
これは、上記特許文献１が車両のナビゲーション装置に付帯された固定側の通信装置に関する技術であること、及びそのような車両のナビゲーション装置では、乗員が携帯電話機を載置台から取り外し、あるいは車両のイグニッションキースイッチがオフした時点で必要な動作がすべて完了しているものと想定されるからであり、携帯電話機及び車両のナビゲーション装置双方の無駄な電力消費を極力回避する必要性からなされるものと考えられる。
【０００６】
しかしながら、上記のような車両内での使用に限定しない一般的なブルートゥース機能を有する携帯電話機では、例えば自宅内でのパーソナルコンピュータ等の情報機器との接続を勘案すると、例えば充電器から取り外しただけでそれまで実行していたブルートゥース機能による接続を一律に遮断するものとして動作を制御するのは早計である。
【０００７】
その反面、充電器から取り外された状態では、携帯電話機本来の最寄りの基地局との通信に加えて、ブルートゥース機能による２重の無線通信状態を維持することで、制限された容量の充電池による電源を甚だしく消費してしまうことも事実である。
【０００８】
したがって、該携帯電話機のユーザは、電話機の電源操作に加えて、ブルートゥース機能のオン／オフ設定をこまめに操作することが要求され、そのための操作が非常に煩雑となる。
【０００９】
本発明は上記のような実情に鑑みてなされたもので、その目的とするところは、無駄な電力消費を避け、且つ煩雑な機能設定操作を極力省略化しながらも、必要に応じてブルートゥースなど近距離の無線ＬＡＮ機能による接続状態を確立することが可能な移動通信端末装置、移動通信端末の動作制御方法及びプログラムを提供することにある。
【課題を解決するための手段】
【００１０】
本願発明は、無線ＬＡＮ機能を搭載した移動通信端末装置において、装置に格納され、動作電源を供給する充電池と、この充電池に充電を行なう充電器との接続を検出する検出手段と、この検出手段により上記充電器との接続を検出した時点で上記無線ＬＡＮ機能を起動させる第１の無線ＬＡＮ制御手段と、上記無線ＬＡＮ機能による他の無線ＬＡＮ機器との接続状態にあるか否かを判断する判断手段と、上記検出手段により上記充電器との接続の終了を検出した際、上記判断手段により他の無線ＬＡＮ機器との接続状態にあると判断された場合はその接続状態が終了するまで無線ＬＡＮ機能を維持する第２の無線ＬＡＮ制御手段とを具備したことを特徴とする。
【発明の効果】
【００１１】
本願発明によれば、充電器との接続の終了を検出した際に他の無線ＬＡＮ機器とまだ接続状態にあるときはその接続状態が一旦終了するまで無線ＬＡＮ機能を維持するようにしたので、無駄な電力消費を避け、且つ煩雑な機能設定操作を極力省略化しながらも、ブルートゥースなど近距離の無線ＬＡＮ機能による接続状態を必要に応じた区切りとなるまで確立しておくことが可能となる。
【発明を実施するための最良の形態】
【００１２】
以下、本発明をブルートゥース機能を搭載したＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の実施の一形態について図面を参照して説明する。
【００１３】
図１は、当該携帯電話機の機能回路構成を示すものである。同図で、１は例えばリチウムイオン（Ｌｉ−ｉｏｎ）でなる充電池である。この充電池１の発生する電力から電源回路２が各種電圧の電源を生成して以下の各回路へ供給する一方で、電源回路２はマイクロプロセッサ４からの制御により充電機器接続コネクタ３に図示しない充電器が接続されるとその供給電力で充電池１を充電する。
【００１４】
マイクロプロセッサ４は、ＣＰＵと、後述する充電時のブルートゥース機能の動作等を含む各種動作プログラムを固定的に記憶したＲＯＭ、及びワークメモリとして使用されるＲＡＭ等で構成され、この携帯電話機全体の動作を制御するもので、メモリ５、液晶表示部（ＬＣＤ）６、バックライト７、キー入力部８を接続している。
【００１５】
液晶表示部６は、各種動作状態や文字情報等をドットマトリックス型の液晶表示パネルにより表示するものであり、バックライト７はこの液晶表示部６の背面（下面）に冷陰極管等が埋設されて液晶表示部６の表示内容を透過照明する。
【００１６】
キー入力部８は、ダイヤルキーや文字入力キー、各種機能設定キー等を一部重複して備えており、特に機能設定キーによる設定内容は上記メモリ５に記憶、保持される。
【００１７】
音声の送話を行なう場合、送話器を構成するマイク９から入力された音声信号がＡ／Ｄ変換器１０でデジタル化された後にボコーダ１１に入力される。このボコーダ１１は、入力されたデジタル値の音声信号のデータ量を圧縮し、誤り訂正符号化してからインタリーブし、その出力シンボルをマイクロプロセッサ４へ出力する。
【００１８】
マイクロプロセッサ４がこの音声の出力シンボルをＣＤＭＡ信号処理回路１２に送信すると、ＣＤＭＡ信号処理回路１２は出力シンボルを拡散処理した後に帯域制限をかけてＩ・Ｑ（Ｉｎ−ｐｈａｓｅ・Ｑｕａｄｒａｔｕｒｅ−ｐｈａｓｅ）信号とし、無線部１３へ送出する。
【００１９】
無線部１３は、そのＩ・Ｑ信号をアナログ化した後にＯＱＰＳＫ（Ｏｆｆｓｅｔ  Ｑｕａｄｒｉ−Ｐｈａｓｅ  Ｓｈｉｆｔ  Ｋｅｙｉｎｇ）変調し、送信電力制御した後に搬送周波数帯に周波数変換し、大電力増幅した後にデュプレクサを介してＣＤＭＡ用アンテナ１４より輻射送信させる。
【００２０】
一方、ＣＤＭＡ用アンテナ１４では最寄りの基地局のいくつかから搬送周波数帯の無線信号を受信し、デュプレクサで周波数軸上から分離し、中間周波信号に周波数変換した後に受信周波数チャネルのみを抽出し、希望受信波の信号レベルを一定にした後にベースバンドＩ・Ｑ信号に分離してデジタル化し、無線部１３へ送出する。
【００２１】
無線部１３では、ベースバンドＩ・Ｑ信号をＰＮ符号を用いて逆拡散・復調し、得られる複数の復調シンボルを合成してマイクロプロセッサ４へ出力する。  
マイクロプロセッサ４がこの出力シンボルをボコーダ１１に送出すると、ボコーダ１１は出力シンボルをデインタリーブし、誤り訂正処理を施した後に圧縮を解いて通常のデジタル音声信号へと伸長し、これをＤ／Ａ変換器１５でアナログ化した後に送話器を構成するレシーバ１６で拡声放音させる。
【００２２】
さらにブルートゥース機能動作時には、ブルートゥース用アンテナ１７にて他のブルートゥース機器からの高周波無線信号を受信したブルートゥースモジュール１８が、ブルートゥース用ベースバンド信号に復調した後にマイクロプロセッサ４へ出力する。このベースバンド信号にはデジタル音声あるいは転送用データなどが含まれる。
【００２３】
マイクロプロセッサ４がそのベースバンド信号をＣＤＭＡ信号処理回路１２へ送出すると、ＣＤＭＡ信号処理回路１２は上記音声の送話と同様にデジタル変調して無線部１３に送出し、さらに搬送周波数帯に周波数変調してＣＤＭＡ用アンテナ１４より送信出力させる。
【００２４】
ＣＤＭＡ用アンテナ１４で受信される搬送周波数信号は、これも上記音声の受話と同様に無線部１３でベースバンド信号まで順次復調、周波数変換された後にＣＤＭＡ信号処理回路１２でデジタル復調され、マイクロプロセッサ４に送出される。
【００２５】
このデジタル復調された信号はデジタル音声あるいは、転送用データなどが含まれ、ブルートゥースモジュール１８に送られて、ブルートゥース用搬送周波数信号に変換された後にブルートゥース用アンテナ１７より他のブルートゥース機器へ送信される。
【００２６】
なお、上述したブルートゥース機能の動作は、キー入力部８での入力により機能設定が可能であり、メモリ５に記憶、保持する設定内容からブルートゥース機能がオン設定されている場合にはブルートゥースモジュール１８が動作してシステム全体でブルートゥース機能による通信動作を実行する反面、ブルートゥース機能がオフ設定されている場合にはブルートゥースモジュール１８への電力供給が停止され、該ブルートゥースモジュール１８で無駄に電力が消費されてしまうのを回避する。
【００２７】
次に上記実施の形態の動作について説明する。  
以下に示す各処理は、基本的にマイクロプロセッサ４が予め固定記憶されたプログラムに基づいて実行する。  
図２は、ＣＤＭＡ方式の携帯電話機として着信の待受け処理を実行しながら実行する処理内容を示すものである。  
その当初には、ブルートゥース機能がオン設定されたか否か（ステップＳ０１）、電源回路２が充電機器接続コネクタ３に所定の供給電圧が印加されたか否かによりこの携帯電話機に充電器が接続されたか否か（ステップＳ０２）、を繰返し判断することで、これらの状態となるのを待機する。
【００２８】
ブルートゥース機能のオン設定は、上述した如くキー入力部８の機能設定キーの操作によりなされるもので、ユーザにより当該キー操作がなされたと判断した場合には、そのキー操作に対応した設定内容をメモリ５に記憶、保持させる。
【００２９】
しかるに、ブルートゥース機能がオン設定されるか、充電器が接続されたとステップＳ０１，Ｓ０２のいずれかで判断すると、その時点でブルートゥース機能による待受け処理を起動し（ステップＳ０３）、以後、ＣＤＭＡ方式の携帯電話機として着信の待受け処理を実行しながら、同時に近距離の無線ＬＡＮ通信である他のブルートゥース機器との接続を待受ける状態に移行する（ステップＳ０４）。
【００３０】
なお、上記ステップＳ０２で充電器が接続されたと判断した場合には、ここではその詳述は省略するが、当然ながら電源回路２とマイクロプロセッサ４により充電池１の充電制御処理を実行することで、その電池残量に応じた充電を行なう。
【００３１】
しかるにこの２つの通信に係る待受け状態において、キー入力部８の機能設定キーの操作によりブルートゥース機能がオフ設定されたか否か（ステップＳ０５）、電源回路２が充電機器接続コネクタ３に印加されている所定の供給電圧が途絶えたか否かにより充電器の接続が解除されたか否か（ステップＳ０６）を繰返し判断してこれらのいずれかの状態となるのを待機する。
【００３２】
ステップＳ０５でブルートゥース機能がオフ設定されたと判断した場合には、ユーザにより当該キー操作がなされたものとして、その操作を優先して上記ブルートゥース機能による待受け処理を即時終了し（ステップＳ０９）、再び上記ステップＳ０１からの処理状態に移行する。
【００３３】
また、上記ステップＳ０６で充電器の接続が解除されたと判断した場合には、続いてその時点でブルートゥース機能による他のブルートゥース機器との接続状態にあるか否かを判断する（ステップＳ０７）。
【００３４】
ここで、他のブルートゥース機器との接続状態にはないと判断した場合には、次いでメモリ５の保持内容によりキー入力部８の機能設定のキー操作によってブルートゥース機能がオン設定されているか否かを判断する（ステップＳ０８）。
【００３５】
ここで、元々ブルートゥース機能がオン設定されていたと判断した場合には、上記充電器の接続の解除後もそのブルートゥース機能の待ち受け処理を継続するものとして、再び上記ステップＳ０４からの処理を繰返す。
【００３６】
また、ステップＳ０８でブルートゥース機能がオン設定されてはいなかったと判断した場合には、上記充電器の接続により自動的にブルートゥース機能がオン設定されたこととなるので、上記ステップＳ０９に進んでブルートゥース機能の待受け処理を即時終了する。
【００３７】
また、上記ステップＳ０７で充電器の接続が解除された時点でブルートゥース機能による他のブルートゥース機器との接続状態にあると判断した場合には、その接続状態を維持しながら、再び充電器が接続されたか否か（ステップＳ１０）、まだその接続状態が維持されているか否か（ステップＳ１２）を繰返し判断することで、充電器が接続されるか、他のＢｌｕｅｔｏｏｔｈ機器との接続状態が解除されるのを待機する。
【００３８】
上記ステップＳ１０で再び充電器と接続されたと判断した場合には、次いでその時点でもまだブルートゥース機能による他のブルートゥース機器との接続状態にあるか否かを判断し（ステップＳ１１）、接続状態にあれば上記ステップＳ１０に戻って充電器と接続されていることを確認する、といった処理を繰返し実行する。
【００３９】
また、上記ステップＳ１１でブルートゥース機能による他のブルートゥース機器との接続状態になく、接続が解除されたと判断すると、再び上記ステップＳ０３に進んでブルートゥース機能による待受け処理を起動する。
【００４０】
そして、上記ステップＳ１２でブルートゥース機能による他のブルートゥース機器との接続状態が解除されたと判断した時点で、上記ステップＳ０９に進んでブルートゥース機能の待受け処理を即時終了する。
【００４１】
このように、充電器との接続の終了を検出した時点で、他のブルートゥース機器とまだ接続状態にあるときには、その接続状態が一旦終了するまでブルートゥース機能を維持するようにした。
【００４２】
そのため、基本的には充電器と接続されていない状態での無駄な電力消費を避け、且つその都度ブルートゥース機能をオン／オフ設定するような煩雑な機能設定のためのキー操作を極力省略化しながらも、ブルートゥース機能による接続状態を必要に応じた区切りとなるまで確立しておくことが可能となる。
【００４３】
なお、上記実施の形態はブルートゥース機能を搭載したＣＤＭＡ方式の携帯電話機に適用した場合について説明したが、本発明は無線ＬＡＮ技術としてブルートゥースに限るものではなく、他にもＩＥＥＥ８０２．１１規格に則ったＩＥＥＥ８０２．１１ｂ、ＩＥＥＥ８０２．１１ａ、ＩＥＥＥ８０２．１１ｇ等の各種規格であってもよいし、さらには赤外線を用いたＩｒＤＡ  ＣｏｎｔｒｏｌあるいはＩｒＭＣ等のデータ通信技術を用いるものとしてもよい。
【００４４】
同様に携帯電話機の通信方式もＣＤＭＡ方式に限定するものではなく、ＰＤＣ（Ｐｅｒｓｏｎａｌ  Ｄｉｇｉｔａｌ  Ｃｅｌｌｕｌａｒ）やＰＨＳ（Ｐｅｒｓｏｎａｌ  Ｈａｎｄｙｐｈｏｎｅ  Ｓｙｓｔｅｍ）等を用いるものとしてもよい。
【００４５】
その他、本発明は上記実施の形態に限らず、その要旨を逸脱しない範囲内で種々変形して実施することが可能であるものとする。
【００４６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００４７】
【図１】本発明の実施の一形態に係る携帯電話機の機能回路構成を示すブロック図。
【図２】同実施の形態に係る充電器への接続とブルートゥース機能動作に関する処理内容を示すフローチャート。
【符号の説明】
【００４８】
１…充電池、２…電源回路、３…充電機器接続コネクタ、４…マイクロプロセッサ、５…メモリ、６…液晶表示部、７…バックライト、８…キー入力部、９…マイク、１０…Ａ／Ｄ変換器、１１…ボコーダ、１２…ＣＤＭＡ信号処理回路、１３…無線部、１４…ＣＤＭＡ用アンテナ、１５…Ｄ／Ａ変換器、１６…レシーバ、１７…ブルートゥース用アンテナ、１８…ブルートゥースモジュール。
【図１】
2005236506.tif 000003
【図２】
2005236506.tif 000004